(57)【要約】【課題】初期導入費用の低コスト化、装置の維持管理費用の大幅な削減を図ることが可能な運転訓練装置及びプログラムを提供すること、及び、技術サポート費用の削減、ユーザーの要求に応じたタイムリーなサポートの提供が可能な運転訓練装置及びプログラムを提供することを目的とする。【解決手段】ごみ焼却プラントの運転訓練装置２が、公衆ネットワーク１を介して接続するクライアント端末３からの要求に応じてごみ焼却プラントの運転訓練を実施する運転訓練実施手段６と、該運転訓練実施手段６による運転訓練の結果を保存する運転訓練結果保存手段７と、該運転訓練結果保存手段７に保存されている運転訓練結果を、ネットワークを介して前記クライアント端末３に送信する運転訓練結果送信手段３とを有する。【選択図】　　　　　　図２
2004118007.tif 000002
【特許請求の範囲】
【請求項１】
公衆ネットワークを介して接続するクライアント端末からの要求に応じてごみ焼却プラントの運転訓練を実施する運転訓練実施手段と、
該運転訓練実施手段による運転訓練の結果を保存する運転訓練結果保存手段と、
該運転訓練結果保存手段に保存されている運転訓練結果を、ネットワークを介して前記クライアント端末に送信する運転訓練結果送信手段とを有することを特徴とするごみ焼却プラントの運転訓練装置。
【請求項２】
運転訓練実施手段が、クライアント端末からの要求に応じてごみ焼却プラントのプラント構成を任意に選択可能なプラントモデル作成部を有することを特徴とする請求項１に記載のごみ焼却プラントの運転訓練装置。
【請求項３】
運転訓練実施手段が、クライアント端末からの要求に応じてごみ焼却プラントの訓練シナリオを任意に設定可能な訓練シナリオ作成部を有することを特徴とする請求項１又は請求項２に記載のごみ焼却プラントの運転訓練装置。
【請求項４】
運転訓練実施手段が、運転訓練結果保存手段に保存されている運転訓練結果に基づき訓練の評価を行う訓練評価部を有し、
前記訓練評価部での評価結果を保存する訓練評価結果保存手段と、
該訓練評価結果保存手段に保存されている訓練評価結果を、ネットワークを介してクライアント端末に送信する訓練評価結果送信手段とを有することを特徴とする請求項１乃至請求項３のいずれかに記載のごみ焼却プラントの運転訓練装置。
【請求項５】
クライアント端末から運転訓練結果に対するコメントとして専門家による詳細解析及びアドバイスの作成要求があった場合に、専門家に対してコメントの作成依頼を行うコメント依頼手段と、
前記専門家が作成したコメントを保存するコメント保存手段と、
該コメント保存手段に保存されているコメントを、ネットワークを介して前記クライアント端末に送信するコメント送信手段とを有することを特徴とする請求項１乃至請求項４のいずれかに記載のごみ焼却プラントの運転訓練装置。
【請求項６】
コンピュータを、
公衆ネットワークを介して接続するクライアント端末からの要求に応じてごみ焼却プラントの運転訓練を実施する運転訓練実施手段、
該運転訓練実施手段による運転訓練の結果を保存する運転訓練結果保存手段、
該運転訓練結果保存手段に保存されている運転訓練結果を、ネットワークを介して前記クライアント端末に送信する運転訓練結果送信手段手段
として機能させるためのプログラム。
【発明の詳細な説明】
【０００１】
【発明の属する技術分野】
本発明は、ネットワークを利用したごみ焼却プラントの運転訓練装置に関する。
【０００２】
【従来の技術】
都市ごみ等の廃棄物を焼却処理するごみ焼却炉やガス化溶融炉は、社会生活において排出される様々な廃棄物を処理するという重要な役割を担っている。近年では、廃棄物であるごみの焼却処理によって発生する熱エネルギの回収への関心が高まり、ボイラ発電設備のついたものが増加し、ボイラでの熱回収が効率的に行えるように、安定な燃焼が要求されている。一方、大気中に放出される環境汚染物質の規制が厳しくなるにしたがって、ＮＯｘ濃度やＣＯ濃度を低減する燃焼運転が必要とされている。
【０００３】
このように、ごみ焼却炉には高度な燃焼運転が望まれているため、通常、自動燃焼制御装置によって上記の要求を満たすような運転が行われている。自動燃焼制御装置では、ごみ焼却炉の操作量である給塵速度、燃焼火格子速度、燃焼空気量、および冷却空気量などを制御することにより、蒸気発生量を安定化し、排ガス中のＮＯｘ濃度やＣＯ濃度を低く抑え、灰中の未燃成分が少なくなるように運転されている。このような状況から、運転員が直接運転操作を行う手動運転の機会が少なくなっている。そこで、異常燃焼状態時の対処能力の向上、初心者の早期養成が重要な課題となっており、ごみ焼却炉の運転訓練装置が種々提案されている。
【０００４】
一般的なごみ焼却炉の運転訓練装置では、運転員は実際のごみ焼却炉における分散制御装置（以下、「ＤＣＳ」と記す。）と同様の機能を有するＤＣＳ（以下、「擬似ＤＣＳ」と記す。）と燃焼モデル演算機能とを備えた計算機と、炉内の燃焼状態を燃焼画像または運転指標の形式で擬似的に表示する機能を備えた計算機（以下、「燃焼状態擬似表示用計算機」と記す。）とを併用しながら訓練を行う。手順としては、最初に訓練のシナリオを決定する。具体的には、訓練速度や時間、故障イベント、投入ごみ質などの所定の項目を決定する。訓練開始後運転員は、擬似ＤＣＳの画面に表示されるプラントフロー画面、トレンド、アラーム等から各種状態量を、また燃焼状態擬似表示用計算機に表示される燃焼画像または運転指標を参照して各種操作端の操作量をそれぞれ決定し、擬似ＤＣＳの操作盤から入力する。入力された各種状態量及び各種操作端の操作量は燃焼モデル演算機能により計算され、その結果に基づき燃焼状態擬似表示用計算機では炉内燃焼状態が擬似的に表示される。運転訓練終了後は訓練の評価結果が出力される。
【０００５】
なお、燃焼状態擬似表示用計算機において、燃焼画像の表示機能は実炉の操業でもモニタされる炉内燃焼画像を燃焼状態の判断材料としているため、臨場感にあふれた運転訓練だけでなく、運転員の効果的な技術向上を可能にしている（例えば、特許文献１又は特許文献２参照）。
【０００６】
【特許文献１】
特開２０００−２７４６４０号公報
【０００７】
【特許文献２】
特開２０００−２７４６４１号公報
【０００８】
【発明が解決しようとする課題】
しかし、従来の運転訓練装置には以下のような問題点がある。
（１）運転訓練装置を導入するユーザーにおいては、運転訓練装置用の機器、アプリケーションソフト及びデータベースの購入、機器の設置工事等が必要となり、初期導入費用が嵩んでいた。
（２）運転訓練装置が設置されている場所以外での運転訓練が行えない。
（３）運転訓練装置はオーダーメイドで製造されているため、納入後のバージョンアップや設備改造による仕様変更、データベースの運用管理等に多大な労力及び費用がかかっていた。
（４）運転訓練装置の調整やメンテナンスに手間やコストがかかる。
（５）運転訓練装置を提供するメーカーにおいては、各ユーザーの装置構成に応じた個別の対応が必要となり、各ユーザーに対する技術サポートを行うための人員確保等に多大の費用がかかっていた。
【０００９】
本発明はこれらの問題点を解決するためになされたもので、第一の目的は、初期導入費用の低コスト化、装置の維持管理費用の大幅な削減を図ることが可能な運転訓練装置及びプログラムを提供することにある。
【００１０】
また、第二の目的は、技術サポート費用の削減、ユーザーの要求に応じたタイムリーなサポートの提供が可能な運転訓練装置及びプログラムを提供することにある。
【００１１】
【課題を解決するための手段】
上記の課題は次の発明により解決される。
［１］公衆ネットワークを介して接続するクライアント端末からの要求に応じてごみ焼却プラントの運転訓練を実施する運転訓練実施手段と、該運転訓練実施手段による運転訓練の結果を保存する運転訓練結果保存手段と、該運転訓練結果保存手段に保存されている運転訓練結果を、ネットワークを介して前記クライアント端末に送信する運転訓練結果送信手段とを有することを特徴とするごみ焼却プラントの運転訓練装置。
［２］上記［１］において、運転訓練実施手段が、クライアント端末からの要求に応じてごみ焼却プラントのプラント構成を任意に選択可能なプラントモデル作成部を有することを特徴とするごみ焼却プラントの運転訓練装置。
［３］上記［１］又は［２］において、運転訓練実施手段が、クライアント端末からの要求に応じてごみ焼却プラントの訓練シナリオを任意に設定可能な訓練シナリオ作成部を有することを特徴とするごみ焼却プラントの運転訓練装置。
［４］上記［１］乃至［３］のいずれかにおいて、運転訓練実施手段が、運転訓練結果保存手段に保存されている運転訓練結果に基づき訓練の評価を行う訓練評価部を有し、前記訓練評価部での評価結果を保存する訓練評価結果保存手段と、該訓練評価結果保存手段に保存されている訓練評価結果を、ネットワークを介してクライアント端末に送信する訓練評価結果送信手段とを有することを特徴とする請求項１乃至請求項３のいずれかに記載のごみ焼却プラントの運転訓練装置。
［５］上記［１］乃至［４］のいずれかにおいて、クライアント端末から運転訓練結果に対するコメントとして専門家による詳細解析及びアドバイスの作成要求があった場合に、専門家に対してコメントの作成依頼を行うコメント依頼手段と、前記専門家が作成したコメントを保存するコメント保存手段と、該コメント保存手段に保存されているコメントを、ネットワークを介して前記クライアント端末に送信するコメント送信手段とを有することを特徴とするごみ焼却プラントの運転訓練装置。
［６］コンピュータを、公衆ネットワークを介して接続するクライアント端末からの要求に応じてごみ焼却プラントの運転訓練を実施する運転訓練実施手段、該運転訓練実施手段による運転訓練の結果を保存する運転訓練結果保存手段、該運転訓練結果保存手段に保存されている運転訓練結果を、ネットワークを介して前記クライアント端末に送信する運転訓練結果送信手段手段として機能させるためのプログラム。
【００１２】
上記構成とすることにより、ユーザー側においては、インターネット等の公衆ネットワークに接続可能なコンピュータがあれば、個々の端末に運転訓練装置専用のアプリケーションソフトを導入することなくメーカ側が提供する運転訓練装置を利用することが可能となる。これにより、運転訓練装置に必要な個々のアプリケーションソフトの購入及びバージョン管理、データベースの運用管理等の装置管理を個々に行う必要がなくなり、初期導入費用の低コスト化、装置の維持管理費用の大幅な削減が可能となる。
【００１３】
また、運転訓練装置を提供するメーカーにおいては、メーカ側で管理する運転訓練装置内のアプリケーションのバージョン管理等を行うだけで良く、個々のユーザー別の管理及び対応が不要となる。さらに、ユーザーからの詳細な解析やアドバイスの依頼に対しても訓練結果等の詳細なデータがメーカー側で管理する運転訓練装置内のデータベースに保存されているため正確な判断を迅速に行うことが可能となる。これにより、技術サポート費用の削減、ユーザーの要求に応じたタイムリーなサポートの提供が可能となる。
【００１４】
【発明の実施の形態】
図１は、本発明に係るネットワークを利用したごみ焼却プラントの運転訓練装置を実現するためのネットワーク構成の一例を示す概略構成図である。
【００１５】
図１に示すネットワーク構成は、インターネット等の公衆ネットワーク１に、運転訓練装置２と、クライアント端末３とが接続されて構成されている。
【００１６】
また、図２は運転訓練装置２の一実施形態を示す機能ブロック図、図３はクライアント端末３の一実施形態を示す機能ブロック図である。ここで、運転訓練装置２やクライアント端末３には、例えばパーソナルコンピュータやワークステーション等のコンピュータが用いられる。
【００１７】
図２に示す運転訓練装置２は、公衆ネットワーク１を介して接続するクライアント端末３からの要求に応じて、各データベースとの間でデータの読み出し、保存処理等を行い、ごみ焼却プラントの運転訓練を実施する運転訓練実施手段６と、この運転訓練実施手段６による運転訓練の結果を保存する運転訓練結果保存手段として機能する運転訓練結果データベース７と、この運転訓練結果データベース７に保存されている運転訓練結果を、公衆ネットワーク１を介して前記クライアント端末３に送信する運転訓練結果送信手段として機能するＷｅｂサーバ機能５とを備えている。ここで、前記Ｗｅｂサーバ機能５は、公衆ネットワーク１を介してクライアント端末３とデータの送受信等を行う機能を備えている。
【００１８】
図３に示すクライアント端末３は、通信Ｉ／Ｆ２０により公衆ネットワーク１に接続され、ブラウザソフト２１により公衆ネットワーク１を介してごみ焼却プラントの運転訓練装置２にアクセスする。
【００１９】
また、図４はクライアント端末３と運転訓練装置２との間のデータ処理手順の一例を示すタイミング図である。以下、図１乃至図４を用いて説明する。
【００２０】
［ライセンス交付］
まず、ごみ焼却プラントの運転訓練装置の利用希望ユーザはインターネット等の公衆ネットワーク１に接続されているユーザ側のクライアント端末３からメーカー側の運転訓練装置２にネットワーク１を介してアクセスする（図４、Ｓ１）。運転訓練装置２はアクセスしてきたクライアント端末３に初期画面を送信する（Ｓ２）。クライアント端末側では、クライアント端末３のブラウザ上に表示される運転訓練装置の初期画面から、ライセンス取得の申し込みを選択し、必要事項（例えば、ユーザ名、工場名、住所、ライセンス料の払込の有無等）の入力を行う（Ｓ３）。運転訓練装置２内のライセンス受付部８では、必要事項を確認し、条件を満たしている場合には、運転訓練を可能とするライセンスとして、ライセンス番号およびパスワードを交付し、それを前記ユーザに通知する（Ｓ４）。
【００２１】
［ログイン許可判別］
運転訓練を実施するユーザは、ユーザ側のクライアント端末３からメーカー側の運転訓練装置２にネットワーク１を介してアクセスする。クライアント端末３のブラウザ上に表示される運転訓練装置のログイン画面から事前に取得したライセンス番号およびパスワードを入力する（Ｓ５）。ログイン画面の一例を図５に示す。
【００２２】
ログイン許可判別部６ａでは、入力されたライセンス番号およびパスワードを確認し（Ｓ６）、ログインを許可する場合には、クライアント端末３に対して、例えば図６に示す画面で現在の空き情報の提示を行い、空いている場合にはメニュー選択画面を送信する（Ｓ７）。空いていない場合は待ち時間の提示を行う。なお、待ち行列への登録および、順番の通知機能を備えるようにしても良い。
【００２３】
［プラントモデル設定］
運転訓練を実施するユーザは、メニュー選択画面からプラントモデルの設定を選択し（Ｓ８）、運転訓練装置側から送られてくるプラントモデル選択画面（Ｓ９）からユーザが運転訓練を実施するごみ焼却プラントの構成の選択を行う（Ｓ１０）。選択方法としては、既に登録済みのプラント構成を指定する方法と、新たにプラント構成を個々に指定する方法とを選択するようにしてもよい。
【００２４】
既に登録済みのプラント構成を指定する場合には、プラントモデル読み出し部６ｃにおいて、プラントモデルデータベース１０（図２参照）に登録されているプラント構成を選択する。図７にプラント構成選択画面の一例を示す。
【００２５】
また、新たにプラント構成を個々に指定する場合には、プラントモデル作成部６ｂにおいてプラントモデルの作成を行う。都市ごみ焼却プラントは都市の規模により焼却炉の容量も変わってくる、また、技術の発展やごみの性質、自治体ごとに設定する環境規制値により排ガス処理装置のスペックも多様である。そのため、メーカー側はモデルについて、実工場毎のスペックのみならず、焼却炉の規模、選択した排ガス処理装置を統合しても正常なプラント挙動を示すようにパーツを設計しておいて、ユーザが選択できるようにスペックデータベース９（図２参照）に保存しておく。ユーザは、例えば、図８に示すように個別の機能を組み合わせて独自のプラント構成を指定できるようにしてもよい。ここで、個別登録の項目としては、ストーカ炉、流動床炉、ガス化溶融炉などの炉の形式、ボイラまたはガスクーラーというごみの燃焼にて発生した排ガス余熱処理方法、減温塔、脱塩、除塵装置、脱硝などの排ガス処理装置の有無と方式などがあげられる。作成されたプラント構成は、プラントモデルデータベース１０にライセンス番号とリンクして記憶し、いつでも呼び出せるようにする。
【００２６】
［訓練シナリオ設定］
次に、運転訓練を実施するユーザは、メニュー選択画面から訓練シナリオの設定を選択し（Ｓ１１）、運転訓練装置側から送られてくる訓練シナリオ選択画面（Ｓ１２）から訓練シナリオの選択を行う（Ｓ１３）。選択方法としては、既に登録済みの訓練シナリオを指定する方法と、新たに訓練シナリオを個々に指定する方法とを選択するようにしてもよい。
【００２７】
既に登録済みの訓練シナリオを指定する場合には、訓練シナリオ読み出し部６ｅにおいて、訓練シナリオデータベース１３（図２参照）に登録されている訓練シナリオを選択する。
【００２８】
また、新たに訓練シナリオを個々に指定する場合には、訓練シナリオ作成部６ｄにおいて訓練シナリオの作成を行う。ここでは、初心者から熟練者までレベルに応じた訓練ができるように、初期のごみ燃焼状態や故障、投入ごみ質、訓練速度、訓練時間などをシナリオデータベース１１（図２参照）からユーザが選択設定できるようにしてもよい。図９に訓練シナリオ作成画面の一例を示す。作成された訓練シナリオは、訓練シナリオデータベース１３にライセンス番号とリンクして記憶し、いつでも呼び出せるようにする。
【００２９】
［訓練実行］
プラントモデル及び訓練シナリオを設定した後、訓練実行部６ｆにおいて訓練を開始する（Ｓ１４）。図１０に運転訓練操作画面の一例を示す。図１０に示す運転訓練操作画面で炉内温度やガス流量などのプロセス値を監視する。各操作端の操作をするときには、操作端番号表示のボタンを押すことにより、例えば、図１１に示すようなループウィンドウ用のブラウザ画面（ウィンドウ）が新しく開き、その画面上でモード切替や設定値の変更ができる。また、トレンド表示についても、特定のボタンを押すことにより、例えば、図１２に示すようなトレンド用のブラウザ画面（ウィンドウ）が新しく開き、一定周期でトレンドを更新する。また、現在の訓練における炉内の燃焼状態を模擬的に表示した画像を別のブラウザ画面で表示すると、一層臨場感あふれる運転訓練を実現できる。
【００３０】
運転訓練の結果は、実行したプラントモデル及び訓練シナリオのデータと共に、さらにライセンス番号とリンクした形で運転訓練結果データベース７（図２参照）に保存される（Ｓ１５）。この場合、前記運転訓練結果データベース７が運転訓練結果保存手段として機能する。
【００３１】
また、この運転訓練結果データベース７に保存された運転訓練結果は、公衆ネットワーク１を経由して接続するクライアント端末３に、Ｗｅｂサーバ機能５を介して送信される（Ｓ１６）。或いは、公衆ネットワーク１を経由して接続するクライアント端末３からの要求により、その接続者のライセンス番号に対応した運転訓練結果を、Ｗｅｂサーバ機能５を介して前記クライアント端末３に送信するようにしてもよい。この場合、前記Ｗｅｂサーバ機能５が運転訓練結果送信手段として機能する。
【００３２】
［訓練評価］
訓練実行部での訓練終了後、訓練評価部６ｇにおいて、運転訓練を行った構成における全ての操作端の値を自動制御装置で操作する運転を自動的に実施する。その後、ユーザ及び自動制御装置による運転の結果について、主要評価項目の平均値比較、またはトレンド比較や訓練評価演算を実施し、例えば、図１３に示すような運転訓練の評価を表示させることで、操作上の問題点の解析を実施する（Ｓ１７）。
【００３３】
この運転訓練の評価結果については、訓練実行部での訓練結果のデータとリンクさせた形で運転訓練結果データベース７に保存される（Ｓ１８）。この場合、前記運転訓練結果データベース７が訓練評価結果保存手段として機能する。
【００３４】
また、この運転訓練結果データベース７に保存された運転訓練の評価結果は、公衆ネットワーク１を経由して接続するクライアント端末３に、Ｗｅｂサーバ機能５を介して送信される（Ｓ１９）。或いは、公衆ネットワーク１を経由して接続するクライアント端末３からの要求により、その接続者のライセンス番号に対応した運転訓練の評価結果を、Ｗｅｂサーバ機能５を介して前記クライアント端末３に送信するようにしてもよい。この場合、前記Ｗｅｂサーバ機能５が訓練評価結果送信手段として機能する。
【００３５】
また、ユーザは前記訓練評価部での評価結果に対するコメントとして専門家による詳細解析及びアドバイスの作成要求をすることもできる。例えば、図１３に示す画面においてコメント作成要求を選択（Ｓ２０）することにより、コメント依頼手段１６（図２参照）がＬＡＮインターフェース１２（以下「インターフェース」を「Ｉ／Ｆ」と記す。）を経由して社内ＬＡＮ１４等を介しコメントの作成を行う専門家（コメント端末１５）に対してコメント作成依頼を送信する（Ｓ２１）。なお、前記ＬＡＮ−Ｉ／Ｆ１２は、ＬＡＮ１４に接続されているコメント端末１５とデータの送受信等を行う。
【００３６】
コメント作成依頼を受け取った前記専門家は、社内ＬＡＮ或いは公衆ネットワークに接続されたコメント端末１５から運転訓練装置２にアクセスし（Ｓ２２）、結果読出・書込部６ｈを介して運転訓練結果データベース７に保存されている運転訓練結果及び評価結果等のデータを読み込み（Ｓ２３）、その要求のあった訓練結果等に対するコメントの作成を行う（Ｓ２４）。なお、前記コメント端末１５は、少なくともＬＡＮ或いは公衆ネットワークを経由して運転訓練装置２にアクセス可能な通信機能と、運転訓練装置２内の各ＤＢの閲覧機能と、運転訓練装置２内の運転訓練結果データベース７へのコメント入力機能とを有している。
【００３７】
専門家の作成した前記コメントは、運転訓練装置２の運転訓練結果データベース７に保存される（Ｓ２５）。この場合、前記運転訓練結果データベース７がコメント保存手段として機能する。本システムにおいては、前記コメントを作成するために必要とされるデータがメーカー側で管理する運転訓練装置２内のデータベースに保存されているため正確なコメントを迅速に作成することが可能となる。
【００３８】
ここで、前記コメントを作成する専門家によるコメントの入力は、直接運転訓練装置２で行っても良く、また、社内ＬＡＮ或いは公衆ネットワークに接続されたコメント端末１５から行ってもよい。これにより、専門家がどこにいてもコメントの入力が可能となり正確なコメントの作成をよりタイムリーに行うことが可能となる。
【００３９】
また、この運転訓練結果データベース７に保存された専門家によるコメントは、公衆ネットワーク１を経由して接続するクライアント端末３に、Ｗｅｂサーバ機能５を介して送信される（Ｓ２６）。或いは、公衆ネットワーク１を経由して接続するクライアント端末３からの要求により、その接続者のライセンス番号に対応した運転訓練の評価結果に対するコメントを、Ｗｅｂサーバ機能５を介して前記クライアント端末３に送信するようにしてもよい。この場合、前記Ｗｅｂサーバ機能５がコメント送信手段として機能する。
【００４０】
［結果読出・書込］
結果読出・書込部６ｈでは、前記運転訓練結果データベース７に保存されている運転訓練結果、運転訓練の評価結果及び専門家のコメント等のデータを読み出し、或いは、書き込みを行うことができる。前記読み出し、或いは、書き込みは、例えば、図６のメニューから結果読み出しを選択し、所定の項目を指定してデータを特定することにより行うことができる。なお、この場合、原則としてログインしたライセンス番号に対応したデータのみ読み出し、或いは、書き込みが可能である。但し、特定のユーザが複数のライセンス番号を取得している場合には、その特定ユーザの複数のライセンスに対応したデータを読み出し、或いは、書き込みできるようにしてもよい。
【００４１】
【発明の効果】
以上説明したように本発明によれば、第一の効果として、初期導入費用の低コスト化、装置の維持管理費用の大幅な削減を図ることが可能な運転訓練装置及びプログラムが提供される。
【００４２】
また、第二の効果として、技術サポート費用の削減、ユーザーの要求に応じたタイムリーなサポートの提供が可能な運転訓練装置及びプログラムが提供される。
【図面の簡単な説明】
【図１】本発明に係るネットワークを利用したごみ焼却プラントの運転訓練装置を実現するためのネットワーク構成の一例を示す概略構成図である。
【図２】本発明に係る運転訓練装置の一実施形態を示す機能ブロック図である。
【図３】本発明に係るクライアント端末の一実施形態を示す機能ブロック図である。
【図４】本発明に係るクライアント端末と運転訓練装置との間のデータ処理手順の一例を示すタイミング図である。
【図５】本発明に係るログイン画面の一例を示す図である。
【図６】現在の空き情報の提示を行う画面の一例を示す図である。
【図７】本発明に係るプラント構成選択画面の一例を示す図である。
【図８】個別の機能を組み合わせて独自のプラント構成を指定できるプラント構成選択画面の一例を示す図である。
【図９】本発明に係る訓練シナリオ作成画面の一例を示す図である。
【図１０】本発明に係る運転訓練操作画面の一例を示す図である。
【図１１】本発明に係るループウィンドウ用のブラウザ画面の一例を示す図である。
【図１２】本発明に係るトレンド用のブラウザ画面の一例を示す図である。
【図１３】本発明に係る運転訓練評価表示画面の一例を示す図である。
【符号の説明】
１　公衆ネットワーク
２　運転訓練装置
３　クライアント端末
５　Ｗｅｂサーバ機能
６　運転訓練実施手段
７　運転訓練結果データベース
８　ライセンス受付部
９　スペックデータベース
１０　プラントモデルデータベース
１１　シナリオデータベース
１２　ＬＡＮ−Ｉ／Ｆ
１３　訓練シナリオデータベース
１４　ＬＡＮ
１５　コメント端末
２０　通信Ｉ／Ｆ
２１　ブラウザソフト
【図１】
2004118007.tif 000003
【図２】
2004118007.tif 000004
【図３】
2004118007.tif 000005
【図４】
2004118007.tif 000006
【図５】
2004118007.tif 000007
【図６】
2004118007.tif 000008
【図７】
2004118007.tif 000009
【図８】
2004118007.tif 000010
【図９】
2004118007.tif 000011
【図１０】
2004118007.tif 000012
【図１１】
2004118007.tif 000013
【図１２】
2004118007.tif 000014
【図１３】
2004118007.tif 000015